(57)【要約】【課題】連続紙の紙幅より大きい紙幅の単票紙でも印刷を行えるようにする。【解決手段】連続紙、及び単票紙に印刷可能なプリンターであって、開閉可能な上方カバーを有し、連続紙を収容する収容ケースと、印刷部を収容し、単票紙が挿入される挿入口を有する本体ケースと、を備え、上方カバーは、挿入口に挿入される単票紙をガイドする第１ガイド面を有し、本体ケースは、挿入口に挿入される単票紙をガイドする第２ガイド面を有し、上方カバーが閉じられた状態で、第１ガイド面は、単票紙の搬送方向と交差する方向において第２ガイド面と並んで配置される。【選択図】図１
2019206108.tif 000002
【特許請求の範囲】
【請求項１】
連続紙、及び単票紙に印刷可能なプリンターであって、
開閉可能なカバーを有し、前記連続紙を収容するケースと、
印刷部を収容し、前記単票紙が挿入される挿入口を有する筐体と、を備え、
前記カバーは、前記挿入口に挿入される前記単票紙をガイドする第１ガイド面を有し、
前記筐体は、前記挿入口に挿入される前記単票紙をガイドする第２ガイド面を有し、
前記カバーが閉じられた状態で、前記第１ガイド面は、前記単票紙の搬送方向と交差する方向において前記第２ガイド面と並んで配置される、
プリンター。
【請求項２】
前記カバーが閉じられた状態で、前記第１ガイド面と前記第２ガイド面とは同一仮想平面上に位置する、
請求項１に記載のプリンター。
【請求項３】
前記印刷部は、前記連続紙、及び前記単票紙を搬送する搬送ローラーを備え、
前記搬送ローラーの回転軸に沿う方向において、前記回転軸の第１の端部側に位置する前記第１ガイド面の端部と、前記回転軸の第２の端部側に位置する前記第２ガイド面の端部との間の前記回転軸に沿う方向の長さは、前記連続紙の幅より大きい、
請求項１又は２に記載のプリンター。
【請求項４】
前記印刷部は、前記連続紙、及び前記単票紙を搬送する搬送ローラーを備え、
前記搬送ローラーの回転軸に沿う方向において、前記第１ガイド面の幅と前記第２ガイド面の幅との和は、前記ケースに収容可能な前記連続紙の幅より大きい、
請求項１又は２に記載のプリンター。
【請求項５】
前記第１ガイド面には、前記連続紙の搬送方向と交差する方向に延びる凹部が形成されている、
請求項１から４のいずれか一項に記載のプリンター。
【請求項６】
前記カバーは、軸を中心として回動することにより開閉し、
前記カバーを閉じた状態にロックするロック機構を備え、
前記ロック機構が、前記第１ガイド面と前記軸との間に設けられている、
請求項１から５のいずれか一項に記載のプリンター。
【請求項７】
前記ロック機構による前記カバーのロック状態を検出する検出部を備え、
前記検出部が前記第２ガイド面の裏面側に配置されている、
請求項６に記載のプリンター。
【請求項８】
前記カバーを閉じた状態において、前記ケースの底部から前記第１ガイド面の上端部までの高さと、前記筐体の底部から前記第２ガイド面の上端部までの高さとは、同一である、
請求項１から７のいずれか一項に記載のプリンター。
【発明の詳細な説明】
【技術分野】
【０００１】
本発明は、プリンターに関する。
【背景技術】
【０００２】
従来、連続紙を収容するケースが有するカバーで単票紙の給紙をガイドするプリンターが知られている（例えば、特許文献１参照）。特許文献１は、連続紙たるロール紙を収容するケース本体と、ロール紙、及び単票紙に印刷可能な印字装置本体とを備え、ケース本体の蓋体の前面に沿って印字装置本体の用紙挿入口に単票紙を給紙するように構成された装置を開示する。
【先行技術文献】
【特許文献】
【０００３】
【特許文献１】特開平１０−１５７８８５号公報
【発明の概要】
【発明が解決しようとする課題】
【０００４】
しかしながら、特許文献１に記載の装置は、連続紙を収容するケースが有するカバーで単票紙をガイドすることが前提であるため、連続紙の紙幅より大きい紙幅の単票紙を適切に挿入口から給紙することが難しく、この紙幅の単票紙に対して印刷を行うことが容易でない。
そこで、本発明は、連続紙の紙幅より大きい紙幅の単票紙でも印刷を行えるようにすることを目的とする。
【課題を解決するための手段】
【０００５】
上記課題を解決するために、本発明は、連続紙、及び単票紙に印刷可能なプリンターであって、開閉可能なカバーを有し、前記連続紙を収容するケースと、印刷部を収容し、前記単票紙が挿入される挿入口を有する筐体と、を備え、前記カバーは、前記挿入口に挿入される前記単票紙をガイドする第１ガイド面を有し、前記筐体は、前記挿入口に挿入される前記単票紙をガイドする第２ガイド面を有し、前記カバーが閉じられた状態で、前記第１ガイド面は、前記単票紙の搬送方向と交差する方向において前記第２ガイド面と並んで配置される。
【０００６】
また、本発明は、前記カバーが閉じられた状態で、前記第１ガイド面と前記第２ガイド面とは同一仮想平面上に位置する構成であってもよい。
【０００７】
また、本発明は、前記印刷部は、前記連続紙、及び前記単票紙を搬送する搬送ローラーを備え、前記搬送ローラーの回転軸に沿う方向において、前記回転軸の第１の端部側に位置する前記第１ガイド面の端部と、前記回転軸の第２の端部側に位置する前記第２ガイド面の端部との間の前記回転軸に沿う方向の長さは、前記連続紙の幅より大きい構成であってもよい。
【０００８】
また、本発明は、前記印刷部は、前記連続紙、及び前記単票紙を搬送する搬送ローラーを備え、前記搬送ローラーの回転軸に沿う方向において、前記第１ガイド面の幅と前記第２ガイド面の幅との和は、前記ケースに収容可能な前記連続紙の幅より大きい構成であってもよい。
【０００９】
また、本発明は、前記第１ガイド面には、前記連続紙の搬送方向と交差する方向に延びる凹部が形成されている構成であってもよい。
【００１０】
また、本発明は、前記カバーは、軸を中心として回動することにより開閉し、前記カバーを閉じた状態にロックするロック機構を備え、前記ロック機構が、前記第１ガイド面と前記軸との間に設けられている構成であってもよい。
【００１１】
また、本発明は、前記ロック機構による前記カバーのロック状態を検出する検出部を備え、前記検出部が前記第２ガイド面の裏面側に配置されている構成であってもよい。
【００１２】
また、本発明は、前記カバーを閉じた状態において、前記ケースの底部から前記第１ガイド面の上端部までの高さと、前記筐体の底部から前記第２ガイド面の上端部までの高さとは、同一である構成であってもよい。
【図面の簡単な説明】
【００１３】
【図１】プリンターの正面を上面側からみた斜視図。
【図２】プリンターの背面を上面側からみた斜視図。
【図３】プリンターの内部構造を示す図であり、図１のＡ−Ａ断面図。
【図４】第１ガイド面と第２ガイド面とを説明するための図。
【図５】収容ケースの正面を上面側からみた斜視図。
【図６】変形例に係るプリンターの正面を上面側からみた斜視図。
【発明を実施するための形態】
【００１４】
以下、本発明の好適な実施形態について、図面を用いて詳細に説明する。なお、以下に説明する実施形態は、特許請求の範囲に記載された本発明の内容を限定するものではない。また、以下で説明される構成の全てが本発明の必須構成要件であるとは限らない。
【００１５】
図１は、設置状態のプリンター１の正面を上面側からみた斜視図である。また、図２は、設置状態のプリンター１の背面を上面側からみた斜視図である。
【００１６】
プリンター１は、印刷ヘッド２００のワイヤーを突出させて、図示せぬインクリボンを介して連続紙Ｓ１、又は単票紙Ｓ２にインクを付着させてドットを形成することで、連続紙Ｓ１、又は単票紙Ｓ２に文字や画像等を印刷するドットインパクトプリンターである。連続紙Ｓ１としては、ロール紙やファンフォールド紙等が一例として挙げられ、本実施形態では紙幅方向の両端部にスプロケット穴を有する印刷媒体を例示する。なお、本実施形態において、紙幅とは、プリンター１の幅方向における印刷媒体の幅を示す。単票紙Ｓ２は、所定の長さに裁断された印刷媒体である。
【００１７】
プリンター１は、本体ケース１０と、ロール状に巻き回された連続紙Ｓ１を収容する収容ケース２０とを備える。本体ケース１０は、本発明の「筐体」に相当する。また、収容ケース２０は、本発明の「ケース」に相当する。収容ケース２０は、本体ケース１０の背面に着脱可能に取り付けられる。
【００１８】
本体ケース１０には、本体ケース１０の幅方向に延びるプラテンローラー３００や、シリアル・インパクト・ドット・マトリクス印刷ヘッドにより構成された印刷ヘッド２００等を含む印刷部１０００が収容されている。プラテンローラー３００は、本発明の「搬送ローラー」に相当する。印刷ヘッド２００は、キャリッジ２１０に搭載され、キャリッジ２１０の走査に伴って、ワイヤーを突出させて図示せぬインクリボンを介して連続紙Ｓ１、又は単票紙Ｓ２にインクを付着させてドットを形成する。印刷ヘッド２００を搭載するキャリッジ２１０の走査方向は、連続紙Ｓ１の搬送方向と交差する方向であり、また、単票紙Ｓ２の搬送方向と交差する方向であり、また、プリンター１、本体ケース１０、及び収容ケース２０の幅方向である。
【００１９】
本体ケース１０の上面１００は、第１上面１１０と、第１上面１１０より背面側であって且つプリンター１が設置状態である場合に第１上面１１０より低位置に位置する第２上面１２０と、により構成されている。
【００２０】
本体ケース１０の第１上面１１０には、上面カバー１１が着脱可能に取り付けられている。上面カバー１１が本体ケース１０から取り外された状態では、本体ケース１０が収容する印刷部１０００が外部に露出する。上面カバー１１の右側には、錠１２が設けられている。図１、及び図２では、錠１２の鍵穴に鍵が挿し込まれている状態を図示している。錠１２の鍵穴に挿し込まれた鍵が操作されることで、上面カバー１１は、本体ケース１０から取り外せないようにロックされ、或いは取り外し可能にロックが解除される。
【００２１】
本体ケース１０の第１上面１１０には、連続紙Ｓ１をプリンター１の外部に排出する第１排出口１３が、本体ケース１０の幅方向に延びて形成されている。第１排出口１３は、本体ケース１０の幅方向において、少なくとも収容ケース２０が収容可能な連続紙Ｓ１が排出可能な長さに形成されている。また、本体ケース１０の第１上面１１０には、第１排出口１３より背面側に、単票紙Ｓ２をプリンター１の外部に排出する第２排出口１４が、本体ケース１０の幅方向に延びて形成されている。第２排出口１４は、本体ケース１０の幅方向において第１排出口１３より長く形成されている。
【００２２】
本体ケース１０の第２上面１２０には、単票紙Ｓ２をプリンター１に挿入するための挿入口１５が、本体ケース１０の幅方向に延びて形成されている。挿入口１５は、本体ケース１０の幅方向において第２排出口１４と同じ長さで形成されている。
【００２３】
本体ケース１０の第２上面１２０には、本体ケース１０に取り付けられた収容ケース２０より右側であって、且つ、挿入口１５より背面側に、サイドケース１６が設けられている。サイドケース１６は、左側面が、本体ケース１０に取り付いた収容ケース２０の右側面と近接するように、第２上面１２０に設けられている。
【００２４】
サイドケース１６は、正面に、挿入口１５への挿入に際して単票紙Ｓ２をガイドする第２ガイド面１６Ａを有している。第２ガイド面１６Ａは、背面側に向かって所定の角度で上方に傾斜した面であって、プリンター１の幅方向に沿った方向に延びた面である。また、サイドケース１６は、図２に示すように、収容ケース２０の上方カバー２２に設けられた錠２３による上方カバー２２のロック状態を検出する検出部１６０を、内部に収容している。つまり、検出部１６０は、第２ガイド面１６Ａの裏面側に配置されている。第２ガイド面１６Ａの裏面とは、背面側に向く第２ガイド面１６Ａの面である。なお、上方カバー２２は、本発明の「カバー」に相当する。また、錠２３は、本発明の「ロック機構」に相当する。
【００２５】
収容ケース２０は、ケース本体２１と、ケース本体２１の上方を覆う上方カバー２２とを備えている。
【００２６】
上方カバー２２は、軸２４を中心として背面側へ回動可能にケース本体２１に取り付けられている。上方カバー２２がユーザーによって回動されることにより、上方カバー２２の状態は、ケース本体２１に対して開いた状態、又は閉じた状態になる。図１、及び図２では、上方カバー２２が閉じた状態を示している。上方カバー２２が閉じた状態では、収容ケース２０の内部に形成されている連続紙Ｓ１を収容する連続紙収容部２０００が外部に露出しない。一方で、上方カバー２２が開いた状態では、連続紙収容部２０００が外部に露出する。
【００２７】
上方カバー２２は、正面に、挿入口１５への挿入に際して単票紙Ｓ２をガイドする第１ガイド面２２Ａを有している。第１ガイド面２２Ａは、背面側に向かって上方に所定の角度で傾斜しており、上方カバー２２が閉じた状態で収容ケース２０が本体ケース１０に取り付けられている場合ではプリンター１の幅方向に沿った方向に延びた面となる。
【００２８】
図１、及び図２に示すように、上方カバー２２が閉じられた状態で収容ケース２０が本体ケース１０に取り付けられている場合、第１ガイド面２２Ａは、プリンター１の幅方向において、サイドケース１６の第２ガイド面１６Ａと並んで配置される。これにより、プリンター１は、第１ガイド面２２Ａ及び第２ガイド面１６Ａによって、挿入口１５に挿入される単票紙Ｓ２をガイドするガイド面を、プリンター１の幅方向に広く確保でき、連続紙Ｓ１の紙幅より大きい紙幅の単票紙Ｓ２を安定してガイドできる。したがって、第１ガイド面２２Ａ及び第２ガイド面１６Ａは、連続紙Ｓ１の紙幅より大きい紙幅の単票紙Ｓ２でも適切に挿入口１５からプリンター１に給紙できる。
【００２９】
特に、第１ガイド面２２Ａと第２ガイド面１６Ａとは、上方カバー２２が閉じられた状態で収容ケース２０が本体ケース１０に取り付けられている場合、同一仮想平面上に位置するように配置される。つまり、上方カバー２２が閉じられた状態で収容ケース２０が本体ケース１０に取り付けられると、第１ガイド面２２Ａは、第２ガイド面１６Ａと面一になるように配置される。これにより、第１ガイド面２２Ａと第２ガイド面１６Ａとは、挿入口１５に挿入される単票紙Ｓ２の紙幅方向が、挿入口１５が延びる方向に沿った方向となるように、単票紙Ｓ２を挿入口１５への挿入に適した態様でガイドできる。したがって、第１ガイド面２２Ａ及び第２ガイド面１６Ａは、連続紙Ｓ１の紙幅より大きい紙幅の単票紙Ｓ２でも適切に挿入口１５からプリンター１に給紙できる。
【００３０】
図３は、プリンター１の内部構造を示す図であり、図１のＡ−Ａ断面図である。
【００３１】
プリンター１は、連続紙Ｓ１を搬送する搬送経路として、プラテンローラー３００より背面側に設けられたトラクターユニット４００からプラテンローラー３００の下部を経由して第１排出口１３に至る搬送経路Ｐ１を有する。また、プリンター１は、単票紙Ｓ２を搬送する搬送経路として、挿入口１５からプラテンローラー３００の下部を経由して第２排出口１４に至る搬送経路Ｐ２を有する。
【００３２】
搬送経路Ｐ１には、トラクターユニット４００、案内部材５００、規制部材６００、プラテンローラー３００、及びプラテンローラー３００と対向する位置に配置される対向ローラー３１０、３２０とが設けられている。案内部材５００、及び規制部材６００は、矢印Ｙ１で示す連続紙Ｓ１の搬送方向においてトラクターユニット４００より下流側に配置されている。また、プラテンローラー３００、及び対向ローラー３１０、３２０は、矢印Ｙ１で示す連続紙Ｓ１の搬送方向において案内部材５００、及び規制部材６００より下流側に配置されている。
【００３３】
トラクターユニット４００は、プラテンローラー３００が延びる方向と並行に延びるトラクター支持軸４１０及びトラクター駆動軸４２０と、トラクター支持軸４１０及びトラクター駆動軸４２０により支持されるトラクター４３０と備える。トラクター４３０は、トラクター駆動軸４２０の回転より循環する無端形状のトラクターベルト４４０と、トラクターベルト４４０の周方向に間欠的に配置された複数のピン４５０と、トラクターベルト４４０の上方に被せられるトラクターカバー４６０とを備える。
連続紙収容部２０００から繰り出された連続紙Ｓ１は、幅方向の両端部に穿設されたスプロケット穴をピン４５０に嵌め合わせた状態で、トラクターベルト４４０に載置される。載置された連続紙Ｓ１の上からトラクターカバー４６０が被せられることにより、連続紙Ｓ１のスプロケット穴とピン４５０とは、嵌め合わせが保持される。この保持された状態で、トラクターベルト４４０が駆動することにより、連続紙Ｓ１は、搬送経路Ｐ１において矢印Ｙ１が示す搬送方向に搬送される。
【００３４】
トラクターユニット４００により搬送された連続紙Ｓ１は、案内部材５００と規制部材６００との間に搬送される。案内部材５００は、プラテンローラー３００の下部に連続紙Ｓ１を案内する部材である。規制部材６００は、連続紙Ｓ１が搬送に伴って搬送経路Ｐ２側に進行しないように規制する部材である。連続紙Ｓ１は、規制部材６００により搬送経路Ｐ２側に進まないように規制されつつ、案内部材５００によってプラテンローラー３００の下部に案内される。プラテンローラー３００の下部に搬送された連続紙Ｓ１は、プラテンローラー３００と、対向ローラー３１０、３２０とに挟持される。そして、連続紙Ｓ１は、プラテンローラー３００の回転に応じて上方に搬送されつつ印刷ヘッド２００により印刷が行われ、第１排出口１３から排出される。
【００３５】
搬送経路Ｐ２には、案内部材７００、規制部材６００、プラテンローラー３００、及び対向ローラー３１０、３２０が設けられている。プラテンローラー３００、及び対向ローラー３１０、３２０は、矢印Ｙ２で示す単票紙Ｓ２の搬送方向において案内部材７００、及び規制部材６００より下流側に配置されている。
【００３６】
案内部材７００は、挿入口１５から挿入される単票紙Ｓ２がプラテンローラー３００の上部に接触しないように搬送経路Ｐ２からの逸脱を防止し、単票紙Ｓ２をプラテンローラー３００の下部に案内する部材である。挿入口１５から挿入された単票紙Ｓ２は、案内部材７００と規制部材６００との間を通り、プラテンローラー３００の下部に案内される。プラテンローラー３００の下部に案内された単票紙Ｓ２は、プラテンローラー３００と、対向ローラー３１０、３２０とに挟持される。そして、単票紙Ｓ２は、プラテンローラー３００の回転に応じて上方に搬送されつつ印刷ヘッド２００により印刷が行われ、第２排出口１４から排出される。
【００３７】
上面カバー１１の裏面側には、プリンター１の幅方向において、第１排出口１３の左右に、連続紙Ｓ１と単票紙Ｓ２との排出先を分ける分岐部材８００が設けられている。上面カバー１１の裏面とは、上面カバー１１が本体ケース１０に取り付けられている場合において、印刷部１０００側に向く面である。図３では、第１排出口１３の左側に設けられている分岐部材８００を図示している。分岐部材８００は、プリンター１の幅方向において第１排出口１３より長い紙幅の印刷媒体を第２排出口１４に案内するように構成されている。プラテンローラー３００によって搬送される印刷媒体が連続紙Ｓ１の場合、連続紙Ｓ１の紙幅が第１排出口１３の長さ以下であるため、連続紙Ｓ１は、分岐部材８００によって第２排出口１４に案内されず、ロール状態時の巻癖によって第１排出口１３から排出される。一方で、プラテンローラー３００によって搬送される印刷媒体が、連続紙Ｓ１の紙幅より大きい紙幅の単票紙Ｓ２である場合、単票紙Ｓ２は、第１排出口１３の左右に設けられた分岐部材８００によって第２排出口１４に案内される。これによって、この単票紙Ｓ２は、第２排出口１４から排出される。
【００３８】
以上のようにして、プリンター１は、連続紙Ｓ１、又は単票紙Ｓ２に印刷を行い、対応する排出口から印刷後の連続紙Ｓ１、又は単票紙Ｓ２を排出する。前述した通り、第１ガイド面２２Ａ及び第２ガイド面１６Ａは、連続紙Ｓ１の紙幅より大きい紙幅の単票紙Ｓ２でも適切に挿入口１５から給紙できる。そのため、プリンター１は、印刷媒体がこの紙幅の単票紙Ｓ２でも印刷を行える。
【００３９】
次に、第１ガイド面２２Ａと第２ガイド面１６Ａとについて詳細に説明する。
図４は、第１ガイド面２２Ａと第２ガイド面１６Ａとを説明するための図であり、設置状態のプリンター１の正面を上面側からみた斜視図でもある。
【００４０】
図４は、図１の構成のうち説明に要する構成について同一の符号を付している。なお、図４の説明においては、図１と同一の符号の構成については詳細な説明を省略する。図４では、説明便宜のため、本体ケース１０が収容する印刷部１０００が含むプラテンローラー３００を点線で図示する。
【００４１】
図４に示すように、プラテンローラー３００の回転軸３００ａに沿う方向において、第１ガイド面２２Ａの幅ＨＢ１と第２ガイド面１６Ａの幅ＨＢ２との和は、第１排出口１３の長さより大きい。つまり、この和は、収容ケース２０に収容可能な連続紙Ｓ１の紙幅より大きい。なお、プラテンローラー３００の回転軸３００ａに沿う方向とは、プリンター１の幅方向であり、回転軸３００ａが延びる方向でもある。図４では、第１ガイド面２２Ａの幅ＨＢ１を上方カバー２２の幅としており、また、第２ガイド面１６Ａの幅ＨＢ２をサイドケース１６の幅としている。
【００４２】
このように、第１ガイド面２２Ａの幅ＨＢ１と第２ガイド面１６Ａの幅ＨＢ２との和が収容ケース２０が収容可能な連続紙Ｓ１の紙幅より大きいため、挿入口１５に挿入される単票紙Ｓ２をガイドするガイド面を、連続紙Ｓ１の紙幅より広く確保できる。したがって、第１ガイド面２２Ａと第２ガイド面１６Ａとは、連続紙Ｓ１の紙幅より大きい紙幅の単票紙Ｓ２を、安定して挿入口１５へガイドできる。そのため、第１ガイド面２２Ａ及び第２ガイド面１６Ａは、連続紙Ｓ１の紙幅より大きい紙幅の単票紙Ｓ２を適切に挿入口１５からプリンター１の内部に給紙できる。
【００４３】
図４では、第１ガイド面２２Ａの幅ＨＢ１と第２ガイド面１６Ａの幅ＨＢ２との和が、収容ケース２０が収容可能な連続紙Ｓ１の紙幅より大きい場合のプリンター１を示している。しかしながら、プリンター１は、第１ガイド面２２Ａの左端部２２Ａ１と第２ガイド面１６Ａの右端部１６Ａ１との間の長さが、収容ケース２０が収容可能な連続紙Ｓ１の紙幅より大きければ、この和が連続紙Ｓ１の紙幅より大きくなくてもよい。
【００４４】
第１ガイド面２２Ａの左端部２２Ａ１は、プラテンローラー３００の回転軸３００ａに沿う方向において、回転軸３００ａの左端部３０Ａ１側に位置する第１ガイド面２２Ａの端部である。第１ガイド面２２Ａの左端部２２Ａ１には、上方カバー２２の左側面が含まれる。なお、回転軸３００ａの左端部３０Ａ１は、本発明の「第１の端部」に相当する。また、第２ガイド面１６Ａの右端部１６Ａ１は、プラテンローラー３００の回転軸３００ａに沿う方向において、回転軸３００ａの右端部３０Ａ２側に位置する第２ガイド面１６Ａの端部である。第２ガイド面１６Ａの右端部１６Ａ１は、サイドケース１６の右側面が含まれる。なお、回転軸３００ａの右端部３０Ａ２は、本発明の「第２の端部」に相当する。
【００４５】
このように、第１ガイド面２２Ａの左端部２２Ａ１と第２ガイド面１６Ａの右端部１６Ａ１との間の長さが、収容ケース２０が収容可能な連続紙Ｓ１の紙幅より大きいため、第１ガイド面２２Ａと第２ガイド面１６Ａとは、連続紙Ｓ１の紙幅より大きい紙幅の単票紙Ｓ２について、少なくとも紙幅方向の両端部が挿入口１５に挿入されるようにガイドできる。これにより、第１ガイド面２２Ａと第２ガイド面１６Ａとは、この紙幅の単票紙Ｓ２を挿入口１５への挿入に適した態様でガイドできる。そのため、第１ガイド面２２Ａ及び第２ガイド面１６Ａは、この紙幅の単票紙Ｓ２を適切に挿入口１５からプリンター１の内部に給紙できる。
【００４６】
また、第１ガイド面２２Ａと第２ガイド面１６Ａとは、上方カバー２２が閉じた状態で収容ケース２０が本体ケース１０に取り付けられている場合、以下の高さ関係を有するように構成されている。すなわち、本体ケース１０の底部１０Ａ１から第２ガイド面１６Ａの上端部１６Ａ２までの高さＴ１と、収容ケース２０の底部２０Ａ１から第１ガイド面２２Ａの上端部２２Ａ２までの高さＴ２は、同一である。図４では、第２ガイド面１６Ａの上端部Ｂ１をサイドケース１６の上面としている。また、図４では、第１ガイド面２２Ａの上端部２２Ａ２をサイドケース１６の上面としている。
このような高さ関係を有することで、第１ガイド面２２Ａと第２ガイド面１６Ａとは、単票紙Ｓ２をガイドする際に、第１ガイド面２２Ａ及び第２ガイド面１６Ａより上方に位置する単票紙Ｓ２について、紙幅方向に高低差を生じさせることがない。そのため、第１ガイド面２２Ａと第２ガイド面１６Ａとは、単票紙Ｓ２がガイド面から浮き上がったり、浮き上がりに起因して単票紙Ｓ２にスキューが発生したりすることを抑制できる。したがって、第１ガイド面２２Ａ及び第２ガイド面１６Ａは、連続紙Ｓ１の紙幅より大きい紙幅の単票紙Ｓ２を、より適切に挿入口１５からプリンター１の内部に給紙できる。
【００４７】
前述したように、サイドケース１６は、収容ケース２０の上方カバー２２に設けられる錠２３のロック状態を検出する検出部１６０を収容する。
【００４８】
図５は。本体ケース１０から取り外した収容ケース２０の正面を上面側からみた斜視図である。
【００４９】
上方カバー２２の側面には、錠２３の下方に開口２５が形成されている。錠２３の鍵穴に挿し込まれた鍵が操作されることで、錠２３は、上方カバー２２の側面から開口２５を介して図示せぬラッチ部材を突き出し、或いはラッチ部材を開口２５を介して上方カバー２２の内部に引き込む。
【００５０】
開口２５は、収容ケース２０が本体ケース１０に取り付けれている場合、プリンター１の幅方向においてサイドケース１６の左側面と対向するように、上方カバー２２の側面に形成される。開口２５を介して上方カバー２２の側面から突出したラッチ部材は、サイドケース１６の左側面からサイドケース１６の内部に入り込む。これにより、錠２３は、上方カバー２２を閉じた状態にロックした状態にすることができる。サイドケース１６に収容される検出部１６０は、サイドケース１６に入り込むラッチ部材の有無を検出することで、上方カバー２２が閉じた状態にロックされているか否かのロック状態を検出する。検出部１６０は、例えば、ラッチ部材を入り込みを検出するセンサー等により構成される。図２に示すように、検出部１６０は、サイドケース１６に収容されている。つまり、サイドケース１６は、上方カバー２２のロック状態の検出と、単票紙Ｓ２のガイドとの２つの機能を有している。そのため、この２つの機能に対応した２つの部材をプリンター１が具備する必要がなく、プリンター１の小型化、及びプリンター１のコストダウンを図ることができる。
【００５１】
図５に示すように、錠２３は、上方カバー２２の上面に設けられいる。すなわち、錠２３は、収容ケース２０の奥行方向において、第１ガイド面２２Ａと軸２４との間に設けられている。これにより、第１ガイド面２２Ａに錠２３が設けられる場合と比較して、第１ガイド面２２Ａの凹凸箇所を減らすことができ、安定した単票紙Ｓ２のガイドを図ることができる。また、上方カバー２２の上面に設けられているため、ユーザーは、錠２３の操作がし易くなる。
【００５２】
また、図５に示すように、第１ガイド面２２Ａには、収容ケース２０の幅方向に延びる凹部２２Ｂが形成されている。凹部２２Ｂは、ユーザーが上方カバー２２を回動させる際に、上方カバー２２を把持する把持部として機能する。このように、第１ガイド面２２Ａに凹部２２Ｂが形成されているため、上方カバー２２を回動させるための把持部を上方カバー２２から突出させて設ける必要が無く、収容ケース２０、延いてはプリンター１の小型化を図ることができる。
【００５３】
以上、説明したように、プリンター１は、連続紙Ｓ１、及び単票紙Ｓ２に印刷可能である。プリンター１は、開閉可能な上方カバー２２を有し、連続紙Ｓ１を収容する収容ケース２０と、印刷部１０００を収容し、単票紙Ｓ２が挿入される挿入口１５を有する本体ケース１０と、を備える。上方カバー２２は、挿入口１５に挿入される単票紙Ｓ２をガイドする第１ガイド面２２Ａを有する。本体ケース１０は、挿入口１５に挿入される単票紙Ｓ２をガイドする第２ガイド面１６Ａを有する。上方カバー２２が閉じられた状態で、第１ガイド面２２Ａは、単票紙Ｓ２の搬送方向と交差する方向において第２ガイド面１６Ａと並んで配置される。
【００５４】
この構成によれば、プリンター１は、第１ガイド面２２Ａ及び第２ガイド面１６Ａによって、挿入口１５に挿入される単票紙Ｓ２をガイドするガイド面を、単票紙Ｓ２の搬送方向と交差する方向に広く確保でき、単票紙Ｓ２を安定して挿入口１５へガイドできる。したがって、プリンター１は、連続紙Ｓ１の紙幅より大きい紙幅の単票紙Ｓ２でも適切に挿入口１５からプリンター１の内部に給紙できるため、この紙幅の単票紙Ｓ２でも印刷を行える。
【００５５】
また、上方カバー２２が閉じられた状態で、第１ガイド面２２Ａと第２ガイド面１６Ａとは、同一仮想平面上に位置する。
【００５６】
この構成によれば、第１ガイド面２２Ａと第２ガイド面１６Ａとは、挿入口１５に挿入される単票紙Ｓ２の紙幅方向が、挿入口１５への挿入に適した方向となるように、単票紙Ｓ２を挿入口１５への挿入に適した態様でガイドできる。したがって、第１ガイド面２２Ａ及び第２ガイド面１６Ａは、連続紙Ｓ１の紙幅より大きい紙幅の単票紙Ｓ２でも適切に挿入口１５からプリンター１の内部に給紙できる。
【００５７】
印刷部１０００は、連続紙Ｓ１、及び単票紙Ｓ２を搬送するプラテンローラー３００を備える。プラテンローラー３００の回転軸３００ａに沿う方向において、第１ガイド面２２Ａの左端部２２Ａ１と、第２ガイド面１６Ａの右端部１６Ａ１との間の回転軸３００ａに沿う方向の長さは、連続紙Ｓ１の幅より大きい。
【００５８】
この構成によれば、第１ガイド面２２Ａと第２ガイド面１６Ａとは、連続紙Ｓ１の紙幅より大きい紙幅の単票紙Ｓ２について、少なくとも幅方向の両端部を挿入口１５に挿入されるようにガイドできる。これにより、第１ガイド面２２Ａと第２ガイド面１６Ａとは、この紙幅の単票紙Ｓ２を挿入口１５への挿入に適した態様でガイドできる。そのため、第１ガイド面２２Ａ及び第２ガイド面１６Ａは、この紙幅の単票紙Ｓ２を適切に挿入口１５から給紙できる。
【００５９】
また、プラテンローラー３００の回転軸３００ａに沿う方向において、第１ガイド面２２Ａの幅ＨＢ１と第２ガイド面１６Ａの幅ＨＢ２との和は、収容ケース２０に収容可能な連続紙Ｓ１の幅より大きい。
【００６０】
この構成によれば、第１ガイド面２２Ａの幅ＨＢ１と第２ガイド面１６Ａの幅ＨＢ２との和が連続紙Ｓ１の紙幅より大きいため、挿入口１５に挿入される単票紙Ｓ２をガイドするガイド面を、連続紙Ｓ１の紙幅より広く確保できる。したがって、第１ガイド面２２Ａと第２ガイド面１６Ａとは、連続紙Ｓ１の紙幅より大きい紙幅の単票紙Ｓ２を、安定して挿入口１５へガイドできる。そのため、第１ガイド面２２Ａ及び第２ガイド面１６Ａは、連続紙Ｓ１の紙幅より大きい紙幅の単票紙Ｓ２を適切に挿入口１５から給紙できる。
【００６１】
また、第１ガイド面２２Ａには、連続紙Ｓ１の搬送方向と交差する方向に延びる凹部２２Ｂが形成されている。
【００６２】
この構成によれば、上方カバー２２を回動させるための把持部を上方カバー２２から突出させて設ける必要が無く、収容ケース２０、延いてはプリンター１の小型化を図ることができる。
【００６３】
また、上方カバー２２は、軸２４を中心として回動することにより開閉する。上方カバー２２を閉じた状態にロックする錠２３を備える。錠２３が、第１ガイド面２２Ａと軸２４との間に設けられている。
【００６４】
この構成によれば、第１ガイド面２２Ａに錠２３が設けられる場合と比較して、第１ガイド面２２Ａをフラットにでき、安定した単票紙Ｓ２のガイドを図ることができる。
【００６５】
また、プリンター１は、錠２３による上方カバー２２のロック状態を検出する検出部１６０を備える。検出部１６０は、第２ガイド面１６Ａの裏面側に配置されている。
【００６６】
この構成によれば、サイドケース１６を具備するだけで、上方カバー２２のロック状態の検出と、単票紙Ｓ２のガイドとの２つの機能を行える。そのため、この２つの機能に対応した２つの部材をプリンター１が具備する必要がなく、プリンター１の小型化、及びプリンター１のコストダウンを図ることができる。
【００６７】
また、上方カバー２２を閉じた状態において、収容ケース２０の底部２０Ａ１から第１ガイド面２２Ａの上端部２２Ａ２までの高さＴ２と、本体ケース１０の底部１０Ａ１から第２ガイド面１６Ａの上端部１６Ａ２までの高さＴ１とは、同一である。
【００６８】
この構成によれば、第１ガイド面２２Ａと第２ガイド面１６Ａとは、単票紙Ｓ２をガイドする際に、第１ガイド面２２Ａ及び第２ガイド面１６Ａより上方に位置する単票紙Ｓ２について、紙幅方向に高低差を生じさせることがない。そのため、単票紙Ｓ２がガイド面から浮き上がったり、浮き上がりに起因して単票紙Ｓ２にスキューが発生したりすることを抑制でき、第１ガイド面２２Ａ及び第２ガイド面１６Ａは、安定して単票紙Ｓ２を挿入口１５からプリンター１に給紙できる。
【００６９】
次に、変形例について説明する。
図６は、変形例に係るプリンター１の正面を上面側からみた斜視図である。また、図６は、プリンター１の設置状態を示している。
【００７０】
図６は、図１と同様の構成のうち要部の構成について同一の符号を付している。なお、以下では、図１と同様の構成については詳細な説明を省略する。
【００７１】
図１と図６とを比較して明らかな通り、変形例に係るプリンター１は、収容ケース２０の上方カバー２２の上面に、可動部材３０を備える。可動部材３０は、軸３１を中心として正面側或いは背面側に回動可能な部材である。可動部材３０は、上方カバー２２の上面において任意の角度で固定できるように構成されている。
【００７２】
可動部材３０は、第１ガイド面２２Ａと同じ角度で固定される場合、単票紙Ｓ２をガイドするガイド面をプリンター１の上方に広く確保することができる。したがって、プリンター１は、単票紙Ｓ２が紙幅方向と交差する方向に長い場合でも、安定して挿入口１５から給紙でき、この単票紙Ｓ２に対して容易に印刷を行える。
【００７３】
また、可動部材３０は、プリンター１の幅方向と交差する方向において、第１上面１１０から収容ケース２０の上面までの距離より長く形成されている。可動部材３０を正面側に回動させることで、可動部材３０は、挿入口１５の一部の上方を覆うことができる。そのため、可動部材３０は、粉塵等が挿入口１５から入り込むことを抑制できる。なお、可動部材３０は、上方カバー２２に対して正面側にスライド可能に構成されてもよい。この場合でも、同様の効果を奏する。
【００７４】
なお、上述した実施形態、及び変形例は、あくまでも本発明の一態様を示すものであり、本発明の範囲内で任意に変形および応用が可能である。
【００７５】
例えば、上述した実施形態、及び変形例では、プリンター１をドットインパクトプリンターとして例示したが、収容ケース２０が収容する連続紙Ｓ１、及び挿入口１５から挿入される単票紙Ｓ２に印刷可能なプリンターであれば印刷方式は限定されない。
【符号の説明】
【００７６】
１…プリンター、１０…本体ケース（筐体）、１０Ａ１…底部（筐体の底部）、１１…上面カバー、１２…錠、１３…第１排出口、１４…第２排出口、１５…挿入口、１６…サイドケース、１６Ａ…第２ガイド面、１６Ａ１…右端部（第２ガイド面の端部）、１６Ａ２…上端部（第２ガイド面の上端部）、２０…収容ケース（ケース）、２０Ａ１…底部（ケースの底部）、２１…ケース本体、２２…上方カバー（カバー）、２２Ａ…第１ガイド面、２２Ｂ…凹部、２２Ａ１…左端部（第１ガイド面の端部）、２２Ａ２…上端部（第１ガイド面の上端部）、２３…錠（ロック機構）、２４…軸、１００…上面、１１０…第１上面、１２０…第２上面、１６０…検出部、３００…プラテンローラー（搬送ローラー）、３００ａ…回転軸、３０Ａ１…左端部（第１の端部）、３０Ａ２…右端部（第２の端部）、１０００…印刷部、ＨＢ１、ＨＢ２…幅、Ｓ１…連続紙、Ｓ２…単票紙、Ｔ１、Ｔ２…高さ。
【図１】
2019206108.tif 000003
【図２】
2019206108.tif 000004
【図３】
2019206108.tif 000005
【図４】
2019206108.tif 000006
【図５】
2019206108.tif 000007
【図６】
2019206108.tif 000008